(57)【特許請求の範囲】
【請求項１】
一端に保持用のウェブが係着され、他端に長さ調整用のウェブが係止されるウェブの保持および調節装置において、それぞれ平行に配設された第１横棒部材、第２横棒部材、第３横棒部材、第４横棒部材を有するボデーを備え、
前記ボデーが、上側と、下側とを有し、前記第１横棒部材の下側部分が長さ調整用のウェブとの接触面を形成し、更に、長さ調整用のウェブの巻回される第２横棒部材と、前記第１横棒部材または支持横棒部材から一体的に起立するとともに前記第２横棒部材の方に向って付勢された弾性突起とを備え、
前記第３横棒部材、第４横棒部材によって保持用のウェブを係着すると共に、前記弾性突起が、前記弾性突起の少なくとも一部分が、前記第２横棒部材に巻回された長さ調整用のウェブの摩擦を増大して少なくとも一方向にウェブが滑るのを防止するように、該弾性突起と該第２横棒部材との間の長さ調整用のウェブの一部分に係合可能であり、前記弾性突起が、付勢力に抗して該第２横棒部材から離隔する方向へ可撓となって、該ウェブを調節するのに必要である前記第２横棒部材と前記弾性突起との間の摩擦の低減と、ウェブの解放角度を小さくして長さ調整用のウェブの調節を容易としたことを特徴とするウェブの保持および調節装置。
【請求項２】
請求項１に記載の装置において、前記弾性突起が、前記第２横棒部材に向って設置されるとき、第１方向での前記ウェブの滑りを防止するが第２方向での該ウェブの調節を可能にするように、該第２横棒部材の前側部分に面する前側部分を有し、該弾性突起が、該第１，第２の方向におけるウェブの調節を容易にするように、該第２横棒部材から遠くへ可撓である装置。
【請求項３】
請求項２に記載の装置において、前記弾性突起の前側部分が、下側面を持つ顎と、該顎から前記ボデーの下側へ向って延びる下側前面と、該顎からボデーの上側へ向かって延びる上側前面とを有し、前記ウェブが、該弾性突起の前側部分に係合可能であって、該弾性突起と前記第２横棒部材との間で少なくとも一方向において該ウェブ上の摩擦を増大してウェブの滑りを防止するように、該第２横棒部材の前側部分に向って少なくとも付勢されている装置。
【請求項４】
請求項３に記載の装置において、前記第２横棒部材の前側部分が、前記弾性突起の前側部分に少なくとも部分的に相補状であるように、上側面を持つ棚と、該棚から前記ボデーの上側へ向って延びる上側前面と、該棚から該ボデーの下側へ向って延びる下側前面とを有する装置。
【請求項５】
請求項４に記載の装置において、前記ボデーが、バックルを形成するように該ボデーの相対向した両側部を相互に結合する第３横棒部材を有し、前記第２横棒部材が、前記第１横棒部材と該第３横棒部材との中間にあり、ウェブが、該第３横棒部材のまわりに配置可能である装置。
【請求項６】
請求項５に記載の装置において、前記装置が、単体のプラスチックで形成されている装置。
【請求項７】
請求項１に記載の装置において、前記装置が、単体の部材で形成されている装置。
【請求項８】
請求項１に記載の装置において、前記ボデーが、噛合う雄および雌の部材を有するバックル装置の一部である装置。
【請求項９】
一端に保持用のウェブが係着され、他端に長さ調整用のウェブが係止されるウェブの保持および調節装置であり、それぞれ平行に配設された第１横棒部材、第２横棒部材、第３横棒部材、第４横棒部材を有するボデーを備え、
前記ボデーが、上側と、下側とを有し、前記第１横棒部材の下側部分が長さ調整用のウェブとの接触面を形成し、更に、長さ調整用のウェブの巻回される第２横棒部材と、前記第１横棒部材または支持横棒部材から一体的に起立するとともに前記第２横棒部材の方に向って付勢された弾性突起とを備えた請求項１に記載された装置において、
前記第３横棒部材、第４横棒部材によって保持用のウェブを係着すると共に、前記弾性突起が、前記弾性突起の少なくとも一部分が、前記第２横棒部材に巻回された長さ調整用のウェブの摩擦を増大して少なくとも一方向にウェブが滑るのを防止するように、該弾性突起と該第２横棒部材との間の長さ調整用のウェブの一部分に係合可能であり、前記弾性突起が、付勢力に抗して該第２横棒部材から離隔する方向へ可撓となって、該ウェブを調節するのに必要である前記第２横棒部材と前記弾性突起との間の摩擦の低減と、ウェブの解放角度を小さくして長さ調整用のウェブの調節を容易としたウェブの保持および調節方法。
【請求項１０】
請求項９に記載の方法において、第１方向における前記ウェブの滑りを防止するが第２方向におけるウェブの調節を可能にするように、前記第２横棒部材に向って面する前記弾性突起の前側部分に該ウェブの一部を係合し、該第１、第２の方向における該ウェブの調節を容易にするように該第２横棒部材から遠くへ該弾性突起を撓める手順を備えたことを特徴とするウェブの保持および調節方法。
【請求項１１】
請求項１０に記載の方法において、前記弾性突起の前側部分による前記ウェブの係合の手順が、該弾性突起の前側部分のエッジと第２横棒部材との間で該ウェブに係合して、前記第２横棒部材に向ってウェブを付勢する手順を含むことを特徴とするウェブの保持および調節方法。
【請求項１２】
請求項１１に記載の方法において、前記ウェブの調節を容易にするために前記第２横棒部材から遠くへ前記弾性突起を撓める手順が、前記エッジをウェブから部分的に解放する手順を含むことを特徴とするウェブの保持および調節方法。
【発明の詳細な説明】
【０００１】
【発明の属する技術分野】
本発明は、一般に、ウェブの保持及び調節のための方法および装置、特に、ウェブに係合するように付勢された弾性突起によってウェブ上の摩擦を増大してバックルのようなボデーに通されたウェブの滑りを防止するための方法および装置に関し、このとき、弾性突起は、ウェブの調節を容易にするために可撓性を有しウェブから離れる方向に移動可能になっている。
【０００２】
【従来の技術】
バックルは、乗客や積荷の拘束物として、又、救命胴衣その他の衣服類を含む無数の用途においてベルト、その他のストラップなどのウェブの１つまたはそれ以上の自由端を定着するために周知である。バックルは、一般に、ウェブの１つまたはそれ以上の端部がそのまわりに固定される幾つかの横棒部材を有するフレームを備えている。代表的に、ウェブの第１端部は、１本の横棒部材のまわりに巻付けて縫着などの周知の手段によってそれ自体へ固定され、ウェブの第２端部は、該第２端部に摩擦係合して滑りを防止する２本またはそれ以上の横棒部材の組合せの間に調節可能に通される。ウェブの摩擦係合を改善するため、米国特許第３，３４９，４４９号、第４，７９１，７０９号は、フレームの内側部分に沿って案内スロット内を移動してウェブに係合可能な摺動する横棒部材を開示し、このとき、ウェブ上の張力が増大すれば摺動可能な横棒部材との摩擦を増大する傾向がある。張力の一層小さい量の下でのウェブの係合を保証するため、米国特許第３，１６３，９０５号、第５，１７０，５３９号（特公平７−６３４０６号）は、ばね装置によってウェブに係合するように付勢された摺動可能な横棒部材を開示している。しかしながら、別体の横棒部材を、食い込みによってバックルの破損を生じ得る案内スロット内に取付けねばならない欠点を有する。更に、摺動可能な横棒部材や、ばね装置のような別個の部品は、付加的な製造ないし製作の段階を必要とし、信頼性のある操作を保証するために狭い公差に合致せねばならず、その上、付加的な組立てを必要とし、それら総てによりコストが嵩む。
【０００３】
上述の幾つかの問題は、本出願の図５に示されるように、上側と下側とを有するボデーを形成するために相対向した両側部４，５を相互に結合する第１，第２の横棒部材２，３を備えた単体のバックル１を開示した米国特許第４，１７１，５５５号（特公昭６３−５８５６１号）によって克服される。この単体のバックルは、図５Ｂに示したように、ウェブの端部をバックルの第２横棒部材３を越えて下から上に通し、次に折返して第１，第２の横棒部材の間を下向きに通した後に、ウェブの端部をウェブと第１横棒部材の下側面６との間に介在させるのである。
【０００４】
【発明が解決しようとする課題】
上記した単体のバックルの第１横棒部材２は、張力Ｔの下でウェブが滑るのを防止するのに十分な摩擦が生じるようなウェブの通路を形成するように第２横棒部材３に対して設置する。しかしながら、このバックルは、ウェブが第１，第２の横棒部材と摩擦係合して滑りを防止される以前に、最小の量の張力がウェブに加えられることを必要とする。従って、ウェブは、僅かな張力、または無張力の下でバックルを経て滑る傾向を有し、これは、ウェブを固定するための努力を空しくし得る。ウェブの摩擦を低減するには図５Ｃに示したように、バックルの向きを図５Ｂの状態から大きな角度θだけ引き起こすことが必要である。この角度θはウェブの解放角度と呼ばれる。しかしながら、ウェブの解放角度がこのように大きいと、特にウェブが僅かな張力、または無張力の下にあるとき、またウェブによって緩く拘束される活発な子供の場合の様な動きにさらされるときにウェブの緩みを完全には防止しない。更に、このように大きい解放角度にバックルを引き起こすことは狭い場所では困難であると共に、このように大きい解放角度でバックルを引き起こすと、ウェブの張力は一時的に高まり、これは、不快を生じさせて障害ないし損傷を生じ得る。
【０００５】
上述に鑑み、ウェブの保持および調節の技術における進歩に関して実証される必要性が存在する。従って、本発明の目的は、従来技術における問題を克服するウェブの保持および調節のための新規な方法および装置を提供することである。
【０００６】
また、本発明の目的は、ウェブに加えられる張力が僅かなときでも、無張力のときでも、少なくとも一方向においてウェブ上の摩擦を増大してウェブの滑りを防止するウェブの保持および調節のための新規な方法および装置を提供することである。
【０００７】
本発明の他の目的は、ウェブを調節するのに必要な解放角度を小さくし、ウェブ上の摩擦を低減することによってウェブの調節を容易にする滑り防止のウェブの保持および調節のための新規な方法および装置を提供することである。
【０００８】
本発明の別の目的は、製造するのに経済的であって信頼性があり、別体の構成要素の組立てを必要としない滑り防止のウェブの調節のための新規な方法および装置を提供することである。
【０００９】
【課題を解決するための手段】
従って、本発明は、少なくとも第１，第２の横棒部材により相互に結合されて相対向する二つの側部を有するボデーを備えたウェブの保持および調節のための方法および装置へ向けられる。該ボデーは、上側と、下側とを有し、このとき、該第１横棒部材の下側部分は、ウェブとの接触面を形成する。弾性突起は、ボデーの下側から上方へ延び、ウェブ上の張力が僅かであっても、無張力であっても少なくとも一方向におけるウェブの滑りを防止するために弾性突起と第２横棒部材との間のウェブの部分に前側部分が係合するように第２横棒部材に向って付勢されている。弾性突起は、ウェブを調節するのに必要なウェブ上の摩擦を低減してウェブの解放角度を小さくすることによりウェブの調節を容易にするためにウェブを少なくとも部分的に解放するように可撓性を有し、第２横棒部材から離れることができる。
【００１０】
【発明の実施の形態】
一実施例では、弾性突起の前側部分は、下側面を有する顎とこの顎からボデーの下側に向って延びる下側前面と、前記顎からボデーの上側に向って延びる上側前面とを有し、弾性突起は、その前側部分の少なくとも一部分がウェブに係合可能であって、少なくとも一方向においてウェブ上の摩擦を増大してウェブの滑りを防止するように第２横棒部材に向って付勢されている。他の実施例では、第２横棒部材の前側部分は、該前側部分が弾性突起の前側部分に少なくとも部分的に相補状であるように、上側面を有する棚と、該棚からボデーの上側に向って延びる上側前面と、該棚からボデーの下側に向って延びる下側前面とを備えている。一実施例では、ウェブは、弾性突起が第２横棒部材に向って設置されるとき、第１方向において滑りを防止されて、第２方向において調節可能であり、このとき、弾性突起は、第１，第２の方向におけるウェブの調節を容易にするように可撓性を有し、第２横棒部材から離れることが可能である。ボデーは相対向した両側部を相互に結合する第３横棒部材を有する単体のプラスチックバックルとして形成されてもよく、このとき、他のウェブ部分は、第３横棒部材のまわりに巻付けられ、縫付けまたは周知のその他の手段によって第３横棒部材に固定される。他の実施例では、ボデーは、噛合って結合、分離可能な雄部材と雌部材からなるバックル装置の一部として形成することができる。
【００１１】
本発明のこれ等およびその他の目的、特徴および利点は、同様な構造および手順を対応する符号および記号によって示す添付図面による本発明の下記の詳細な説明を考察する際に一層完全に明らかになる。
【００１２】
【実施例】
図示の各実施例のウェブの保持調節装置１０は、第１横棒部材（第１バー）２０と、第２横棒部材（第２バー）３０とによって相互に結合された少なくとも２つの相対向した側部１２，１４を有するボデーを備えている。
【００１３】
図１に示した第１実施例では、第１横棒部材は、少なくとも一方向においてウェブの滑りを防止するようにウェブ上の摩擦を増大するために第２横棒部材３０に向って付勢されて、下記で更に述べるようにウェブの調節を容易にするために第２横棒部材から遠くへ手動で撓める事ができる弾性突起４０を有している。該弾性突起は、ウェブ上の摩擦を増大するために少なくとも第２横棒部材に向って付勢され、ウェブに接触して係合する。図１Ｂは、図１Ａの線Ｂ−Ｂに沿う断面図であり、摩擦を増大してウェブの滑りを防止するように第２横棒部材に向って設置された弾性突起４０の少なくとも一部分によって係合されたウェブＷを示している。該ボデーは、上側１６と下側１８とを有している。第１横棒部材２０は、ウェブとの接触面を形成する下側部分２２と、図１Ｃの矢印Ｆの方向へ弾性突起４０が撓めるようにするため、下側部分から上方へ傾斜して第２横棒部材から次第に離れる内側部分２４とを有している。ウェブを調節するために装置を手で掴んでウェブの解放角度に装置を方向付けるのを容易にするように第１横棒部材２０はボデーの端部に肥厚したリップ部２８（図１Ｂ）を形成する前側部分２６を備えている。第１横棒部材２０は、ボデーの端部の中間の幾つかの横棒部材の内の１つでもよく、弾性突起は、ボデーの下側部分から延びていてもよい。
【００１４】
図１の実施例では、弾性突起４０は、第１横棒部材２０の下側部分から上方へ延び、第２横棒部材３０に面する前側部分４２を有している。弾性突起の横の側部４３，４４は、第２横棒部材３０に対して弾性突起４０を遠近両方向に動ける様に、相対向した側部部材１２，１４へは結合されず、図１Ａで明らかなように僅かに離れている。弾性突起の上部４１（図１Ｃ）は、弾性突起を手で掴んで第２横棒部材から遠くへ撓ませ易くするように、相対向した両側部１２，１４よりも上方へ突出している。弾性突起が相対向した両側部よりも上方へ突出する長さを増大させれば、弾性突起を付勢に抗して撓めるのに必要な力は低減する。弾性突起は、第２横棒部材３０に向って付勢され、その前側部分４２は弾性突起と第２横棒部材との間のウェブの部分に係合可能な表面部分を有している。弾性突起が第２横棒部材に向って付勢されてウェブに接触する幾つかの実施例では、ウェブの滑りを防止するために第１横棒部材の下側部分２２に沿って第２横棒部材３０のまわりにウェブが巻付く際にウェブ上の摩擦を増大するように、第２横棒部材に向ってウェブを押付ける。また、弾性突起は、ウェブに加えられる張力が僅か、または無いときでもウェブの滑りを防止する。ウェブ上の張力が矢印Ｔの方向に増大される際、装置が図１Ｂにおけるようにウェブに対して方向づけられるときに、ウェブは装置によって一層強固に係合される。一実施例では、弾性突起の前側部分は、ウェブ上の摩擦を増大してウェブの滑りを防止する曲がりくねった通路を形成するように、第２横棒部材３０の表面部分に少なくとも部分的に相補状にしてある。１つまたはそれ以上のとげまたは稜を、ウェブ上の摩擦を更に増大するために、弾性突起および第２横棒部材のどちらか、または双方の前側部分上に交互にまたは累積的に配置してもよい。図１の実施例では、弾性突起４０の前側部分４２は、ボデーの下側１８に向いた下側面を有する顎４６と、ボデーの下側１８に向って顎から延びる下側前面４７と、ボデーの上側１６に向って顎から延びて傾斜する上側前面４８とを備えている。傾斜する上側前面４８と下側面の顎４６の一部との間の鋭角によって形成される少なくともエッジ４９は、弾性突起が第２横棒部材に向って設置されたとき、ウェブが矢印Ｔの方向に張力を受けたときウェブ上の摩擦を増大してウェブの滑りを防止するように、ウェブに食い込み、ウェブを第２横棒部材に向って押付ける。弾性突起が第２横棒部材に向って設置されるときに少なくとも矢印Ｔの方向へのウェブの滑りを防止するために前側部分４２がウェブに係合して摩擦を増大し、弾性突起４０が下記のようにウェブの調節を容易にするために第２横棒部材３０から付勢に抗して撓められるときにウェブ上の摩擦を低減して少なくとも部分的な解放を可能にするように、前側部分４２が第２横棒部材と協働する限り前側部分４２の幾何学的形状は変更してもよい。
【００１５】
第２横棒部材は、上側部分３１（図１Ｃ）と、弾性突起に面する前側部分３２と、面しない後側部分３４とを有している。一実施例では、上側部分３１は、ウェブに接触する表面領域を増大し、且つ第２横棒部材上でのウェブの横滑りおよびひだ付けを防止するための複数の平行な溝３３（図１Ａ）を有している。図示してない同様な溝を、同じ目的のために上述の第１横棒部材のウェブとの接触面２２に設けてもよい。上側部分３１は、ウェブがボデーから突出すのを防止するように、相対向した両側部の上側１６と下側１８との中間に配置してもよい。第２横棒部材の後側部分３４は、上側部分３１に結合する上側面と、前側部分３２に結合する下側面とを有している。弾性突起が第２横棒部材に向って設置されるときに少なくとも矢印Ｔの方向へのウェブの滑りを防止するために前側部分３２がウェブに係合して摩擦を増大し、弾性突起４０が下記のようにウェブの調節を容易にするために付勢に抗して第２横棒部材３０から遠くへ撓められるときにウェブ上の摩擦の低減および少なくとも部分的な解放を可能にするように、前側部分３２が弾性突起と協働する限り、前側部分３２の幾何学的形状は変更されてもよい。図示の実施例では、第２横棒部材の前側部分３２は、ボデーの上側１６に向いた上面を有する棚３６と、ボデーの上側１６に向って棚から延びる上側前面３７と、ボデーの下側１８に向って棚から傾斜して延びる下側前面３８とを備えている。棚３６と傾斜した下側前面３８との間の鋭角によって形成される少なくともエッジ３９は、弾性突起が第２横棒部材に向って設置されるときに少なくとも矢印Ｔの方向にウェブＷが張力を受けた際、ウェブ上の摩擦を増大してウェブの滑りを防止するために少なくともウェブに食い込んで弾性突起に向ってウェブを押付ける。
【００１６】
図１Ｃには、ボデーの下側１８（図１Ｂ）から第２横棒部材３０の後側部分３４に沿って上へ延び、上側部分３１を越えて下へ折返すウェブＷの端部を示す。第２横棒部材と弾性突起との間をウェブが下向きに通過するのを容易にするように、弾性突起４０は矢印Ｆの方向へ付勢に抗して手で撓めることができる。次に、ウェブは、第１横棒部材２０と、ウェブＷとの間のウェブ接触面２２に沿って矢印Ｐ（図１Ｃ）の方向へ延びる。図１Ｂでは、弾性突起４０は、その前側部分４２の少なくとも一部分がウェブ上の摩擦を増大して少なくとも矢印Ｔの方向へのウェブの滑りを防止するために第２横棒部材３０に向って付勢され、第２横棒部材の少なくとも前側部分３２（図１Ｃ）にウェブの一部分を押付けて接触する。ウェブが通されて弾性突起が第２横棒部材に向ってスプリングバックする際、ウェブ上の摩擦を増大してウェブの滑りを防止するために、弾性突起の下側面の顎４６（図１Ｂ）の一部分は、第２横棒部材の上側面の棚３６（図１Ｃ）に向って下向きの力をウェブ上に加え、弾性突起の下側面部分４７（図１Ｂ）は、第２横棒部材の傾斜した下側面部分３８（図１Ｃ）に向ってウェブ上に横方向の力を加え、弾性突起の傾斜した上側面部分４８（図１Ｂ）は、第２横棒部材の上側面部分３７（図１Ｃ）に向ってウェブ上に横方向の力を加える。第２横棒部材の相補状の前側部分３２（図１Ｃ）は、ウェブが第２横棒部材の前側部分に接触する場所でウェブ上に対応する反作用力を同様に加える。これによりウェブは弾性突起４０を第２横棒部材から離れるように付勢に抗して撓めることなく矢印Ｐの方向へ調節可能であるが、少なくとも矢印Ｔの方向におけるウェブの滑りを防止するために弾性突起と第２横棒部材とはウェブＷ上の摩擦を増大して少なくとも部分的にウェブと係合するように協働する。矢印Ｆの方向への弾性突起４０の移動は、ウェブ上の摩擦を低減することによって矢印Ｐの方向へのウェブの調節を容易にする。図３Ｃに示したように、ウェブに対する適切なウェブ解放角度に装置の向きを変えて弾性突起を第２横棒部材に向って位置させると、ウェブはＴとＰの両方の方向へ調節可能である。この場合、第２横棒部材から遠くへ弾性突起を付勢に抗して撓めると、ウェブ上の摩擦は低減し、小さな解放角度でウェブを上記Ｔ，Ｐ両方向に容易に調節できる。弾性突起がウェブ上の摩擦を低減し、従って装置とウェブとの間のウェブの解放角度が小さくなることによってウェブの調節が容易になる程度は、弾性突起を付勢に抗して撓め、第２横棒部材から遠くへ離すことができる程度に依存する。
【００１７】
弾性突起および第２横棒部材は、装置をウェブに対してウェブの解放角度に向けない限り、ウェブ上の摩擦を増大して係合し、Ｐ，Ｔ両方向におけるウェブＷの滑りを防止する様に形成してもよい。例えば、上側面の棚３６、下側面の顎４６およびエッジ３９，４９の間に、ウェブの移動をＴ，Ｐいずれかの方向又はＴ，Ｐいずれの方向にも防止するために弾性突起と第２横棒部材との間に一層曲がりくねった通路を形成し、そこにウェブに係合して食い込むとげを配置してもよい。上述のように、弾性突起は、ウェブ上の摩擦の低減およびウェブの解放角度を小さくすることによってウェブの調節を容易にするように付勢に抗して第２横棒部材から遠くへ移動可能である。
【００１８】
図２は本発明の第２実施例を示す。この第２実施例が図１の第１実施例と相違するのは、弾性突起４０が第１横棒部材２０の下端から起立するのではなく、第１横棒部材の下端から第２横棒部材３０に向かって少し離れたボデーの相対向した側部１２，１４の下端間に渡設された支持横棒部材４０´から起立することである。それ以外の構成は前述した第１実施例と同じで、弾性突起４０は第２横棒部材に向かって付勢されている。
【００１９】
又、図３は本発明の第３実施例を示す。この第３実施例の弾性突起４０は第２実施例と同様に第１横棒部材２０から起立するのではなく、ボデーの相対向した側部１２，１４の下端間に渡設された支持横棒４０´から起立しているが、支持横棒部材４０´は第１横棒部材２０の下端から大きく離れ、第２横棒部材３０は第１横棒部材２０と弾性突起４０との間に配置されている。このため弾性突起４０の顎４６と、第２横棒部材３０の棚３６は、図１，図２の第１実施例、第２実施例とは正反対の向きで対向する。勿論、弾性突起４０は第２横棒部材３０に向かって付勢され、ウェブを調節するため付勢に抗して弾性突起４０を撓める方向Ｆは第１，第２実施例とは逆になる。
従って、この実施例ではウェブの端部は弾性突起４０と第２横棒部材３０の間を上に通し、第２横棒部材の上で下向きに折返して第１横棒部材２０と、ウェブＷとの間の接触面２２に沿って矢印Ｐの方向へ延びる。
【００２０】
こゝに開示された実施例では、装置はウェブＷに加えられる張力が僅かなときでも、無張力のときでも少なくとも一方向におけるウェブの滑りを防止するようにウェブ上の全体の摩擦を増大して係合する。弾性突起は、付勢に抗して第２横棒部材から遠くへ動かされるとき、ウェブ上の摩擦を低減し、ウェブを調節するのに必要な解放角度を小さくすることによってウェブの調節を容易にする。
【００２１】
図１，図２，図３の各実施例は、ボデーの相対向した側部１２，１４を相互に結合する第３横棒部材５０と、第４横棒部材５２とを有する一体のバックルである。各第３横棒部材５０のまわりに巻付けられ、縫付け、その他の周知の手段によって第３横棒部材へ固定されるウェブの端部は、弾性突起４０によって保持されるウェブの一部であってもよいし、一部でない別のウェブでもよい。また、バックルの不時の引掛りを防止する低い輪郭と、快適さとを与えるような輪郭付きの上側面１６をバックルが有してもよいことを示す。更に、相対向した両側部１２，１４は、バックルの機能的な輪郭を一層向上するために、ウェブが上側１６よりも上に、下側１８よりも下に突出すのを防止するような寸法にしてもよい。
【００２２】
図４は雄端部５８と、雌端部５６とが結合、分離可能な雄、雌の二部材からなる公知のバックルに本発明を実施した実施例である。各部材の噛合い端部５６，５８は相対向した側部１３，１５を有している。図４では図１，図２，図３と同様に、雄部材の相対向した側部１３，１５の間に弾性突起４０、第１横棒部材２０、第２横棒部材３０を設け、雌部材の相対向した側部１３，１５の間に第３横棒部材５０と、第４横棒部材５２を設けてある。しかし、これに限定されず弾性突起４０、第１横棒部材２０、第２横棒部材３０は雄部材の相対向した側部の間と、雌部材の相対向した側部の間の両方に設けてもよい。本発明の実施例は、成形、鋳造及び当該技術で周知のその他の手段によって形成されるプラスチック、金属またはその他の材料から成ってもよい。１つ物のバックルの実施例は、好ましくは単体のプラスチックで形成され、二部品バックルの実施例は、好ましくは２つの別個の単体プラスチックで形成される。
【００２３】
本発明の前述の説明により、本発明の最良の様式であるように現在見做されるものを製造して使用することは当該技術の任意の熟達者にとって可能であるが、こゝに開示された特定の好例の実施例の精神および範囲内で変更、組合せ、変形および同等のものが存在することは、当該技術の熟達者によって認められかつ理解される。従って、本発明は、こゝに開示された特定の好例の実施例に限らず、特許請求の範囲に記載された技術思想に則った総ての実施例を含むものであることに留意されたい。
【００２４】
【発明の効果】
以上説明した如く、本発明のバックルの場合別体の横棒部材や別個のバネを持たないので組立てる必要がない。ウェブをセットした際、ボデーと一体の弾性突起によりウェブを付勢し、ウェブに張力がかかっていなくてもウェブが抜けないように滑りを防止し得る。
また、従来よりも小さい解放角度でウェブを調節できるので、狭い場所でも使えるし、調節による不快感もない。
さらに、製造コストは安くプラスチック製のため腐蝕性環境でも使える。
【図面の簡単な説明】
【図１】Ａはこの発明のウェブの調節および保持装置（バックル）の単体型の第１実施例の平面図、Ｂは図１ＡのＢ−Ｂ線での断面図、Ｃはウェブを調節するため弾性突起を付勢に抗して撓めた状態の断面図である。
【図２】Ａはこの発明のウェブの調節および保持装置（バックル）の単体型の第２実施例の平面図、Ｂは図２ＡのＢ−Ｂ線での断面図である。
【図３】この発明のウェブの調節および保持装置（バックル）の単体型の第３実施例の図２ＡのＢ−Ｂ線と同様な線での断面図である。
【図４】この発明のウェブ調節および保持装置（バックル）の雌、雄二体型の一実施例の平面図である。
【図５】Ａは従来の単体型のバックルの平面図、Ｂは図５ＡのＢ−Ｂ線での断面図、Ｃはバックルをウェブの解放角度にした状態の断面図である。
【符号の説明】
１０    保持調節装置（バックル）
１２    バックルの側部
１４    バックルの側部
１６    バックルの上側
１８    バックルの下側
２０    第１横棒部材
２２    第１横棒部材のウェブとの接触面
３０    第２横棒部材
３２    第２横棒部材の前側部分
３６    第２横棒部材の棚（上側面）
３７    第２横棒部材の上側前面
３８    第２横棒部材の下側前面
３９    第２横棒部材のエッジ
４０    弾性突起
４２    弾性突起の前側部分
４６    弾性突起の顎（下側面）
４７    弾性突起の下側前面
４８    弾性突起の上側前面
４９    弾性突起のエッジ
５０    第３横棒部材
５６    雌部材
５８    雄部材
Ｗ      ウェブ
【図１】
0004211898.tif 000002
【図２】
0004211898.tif 000003
【図３】
0004211898.tif 000004
【図４】
0004211898.tif 000005
【図５】
0004211898.tif 000006